(57)【要約】  通常の冷却構成要素であるコンプレッサ（２）、それぞれのファン（４）を有するラジエータ（３）、およびそれぞれのファン（６）を有するコンデンサ（５）が、一方が内部（７Ａ）で他方が外部（７Ｂ）の２つの気流を作成することが可能であるような方式で、このユニットを収容するために、内部において異なる折りたたみシート金属部品を装備して、構成要素を形成するまたはセット・アップすることが可能であるような方式で、平行六面体で高さが実質的に細長いキャビネット（１）の形状で出現するタイプの空気調和装置を取り付けるための内部フレームワークを有するキャビネットへの改良であり、この目的のために、前記キャビネット（１）が、吸気（８）のための上方開口および排気（９）のための下方開口の２つの後方開口を提示し、上方開口と下方開口の間に、ラジエータ（３）およびそのそれぞれのファン（４）が取り付けられ、それにより、反対側面または外部側面上に外部気流（７）に関して平行に位置する調和空気（６）の流れが作り出され、これがまた、キャビネットの前部（１）の上に位置する吸気のための開口（１０）と上部の開口（１１）の他の２つの開口をも達成し、２つの開口の間に、コンデンサ（５）およびそのそれぞれのファン（６）で作成されたユニットがある。
2008516175.tif 000002
【特許請求の範囲】
【請求項１】
通常の冷却構成要素であるコンプレッサ（２）、それぞれのファン（４）を有するラジエータ（３）、およびそれぞれのファン（６）を有するコンデンサ（５）が、一方が内部（７Ａ）で他方が外部（７Ｂ）の２つの気流を作成することが可能であるような方式で、このユニットを収容するために、内部において異なる構成要素を形成するまたはセット・アップすることが可能であるような方式で、平行六面体で高さが実質的に細長いキャビネット（１）の形状で出現するタイプであり、この目的のために、前記キャビネット（１）が、吸気（８）のための上方開口および排気（９）のための下方開口の２つの後方開口を提示し、上方開口と下方開口の間に、ラジエータ（３）およびそのそれぞれのファン（４）が取り付けられ、それにより、反対側面または外部側面上に外部気流（７）に関して平行に位置する調和空気（６）の流れが作り出され、これがまた、キャビネットの前部（１）の上に位置する吸気のための開口（１０）と上部の開口（１１）の他の２つの開口をも達成し、２つの開口の間に、コンデンサ（５）およびそのそれぞれのファン（６）で作成されたユニットがあり、
垂直シャーシ（１２）の上にはめ込まれるような方式で設定された１セットの折りたたみシート金属部品、ボックス・フォーマット（１４）のエンクロージャによって互いに間隔をおいて位置する２つの部品である後部、および前部カバー（１３）、ならびに前記垂直シャーシ（１２）を包含し、内部気流（７Ａ）の吸気（８）および排気（９）を構成する２つの開口を有する背面または後壁（１５）を有し、排気（８）がグリルを有し、一方吸気（９）が下方に面する開口を有し、ならびに前記垂直シャーシ（１２）が、側壁（１６）によって画定された深度を有し、側壁の前縁が内部ならびに外部に向かって折りたたまれ（１７）、閉じるための嵌合を形成し（１４）、内部が他の同様の折りたたみシート金属部品である空間区画を形成し、他の同様の折りたたみシート金属部品が、部品（１４〜１３）を組み立てる前に、垂直シャーシ（１２）の内部に固定されるボックスの形態の他の部品（１９）が上に配置されることが可能であるような方式で、垂直シャーシ（１）の下方壁に固定された実際にはトレイの形状の正方形ベース（１８）で開始し、前記ボックス（１９）の開放後部側面が、背面（１５）に接してはめ込まれ、開口が境界を画定され（８〜９）、ラジエータ（３）およびそのそれぞれのファン（４）を取り付けるための区画（Ｃ１）を形成し、同時に前記ボックス（１９）の組立てが、２つの他の取付け可能性を創出し、第１が、コンプレッサ（２）およびボックスに内蔵の通常の電気部品（２０）を取り付けるための他の区画（Ｃ２）であり、一方第２が、ボックス（１９）の後部壁自体（２１）によって作成され、ボックス（１９）に接して、２つの垂直側壁（２３）および後部壁（２４）によって画定された「Ｕ」形の他のシート金属ハウジング（２２）が添付され、すべての側壁が、前記ハウジング（２２）が一方の側面上においてボックス（１９）の背面（２１）に添付されることが可能であり、かつ他方の側面上において空間開口（２７）を有するプレート（２６）の閉鎖を有するような方式で、内部に面する取付けタブ（２５）を有し、空間開口（２７）が、２つの区画（Ｃ３〜Ｃ４）を作成し、その１つが、ハウジング（２２）自体の前にあり、ファンが取り付けられるハウジング（６）、およびエンクロージャ（１４）によって作成された空気排気（１１）の上にわたって配置されるコンデンサが取り付けられる上方区画（５）を提供し、一方、リッド（１３）の上にある他の吸気開口（１０）が、プレート（２６）の閉鎖の開口（２７）と依然として位置合わせされ、それにより外部気流（７Ｂ）を作成することを特徴とする、本発明の空気調和装置を取り付けるための内部フレームワークを有するキャビネットへの改良。
【請求項２】
ボックス形エンクロージャ（１４）が、すべてのその前縁および後縁が内部に垂直に折りたたまれ、それにより取付けタブ（２８）を作成し、後縁が、垂直シャーシ（１２）の嵌合（１７）について調節を提供し、一方、前縁および垂直シャーシが、ロッキング・タブ（２９）を作成するような方式でプレスまたは切断された部品を有し、ロッキング・タブの２つ以上が各側面上にあり、そのすべてが、カバー（１３）の上に存在する他の内部に面する垂直タブ（３１）の上に存在する開口（３０）にはめ込まれるように待機フック位置において上方に折りたたまれ、カバー（１３）のエンクロージャ（１４）に対する近さが、カバー（１３）の上縁の上に留まるように外部に面して垂直に設定された１つの最終上部タブ（３３）を最後に含むエンクロージャ（１４）のタブ（２８）と呼ばれるものに外向きに面して垂直に設定され、かつその上に存在する他のタブ（３２）によって誘導され、最終的な添付が、ねじ（３４）によって達成され、図１２に示されるような方式で、前記カバー（１３）の配置が、迅速で簡単な方式で実施され、すなわち、タブ（３２）によって論理的に誘導されるわずかに上方にずれた位置において、ボックス（１４）の形状のエンクロージャに接して設定され、前記カバーが配置された後、下方に変位され、ロッキング・タブが開口（３０）を貫通する（２９）瞬間、結果として前記カバーがロックされ、エンクロージャ（１４）と位置について整列され、ねじ（３４）によってその固定が完了されることを特徴とする、本発明の空気調和装置を取り付けるための内部フレームワークを有するキャビネットへの改良。
【請求項３】
電気構成要素組立てボックス（２０）が、２つの折りたたみシート金属部品で作成され、一方が固定され（３５）、他方が傾斜しており（３６）、この最後に述べられたものが、カバーの形状にあり、一方最初のものが、電気構成要素、主にサーモスタットおよびそのそれぞれのボタンの真の支持体を構成し、したがって、前記添付された部品が、前方に折りたたまれる横向きセクション「Ｃ」を提示し、すなわち、適切な穴およびカット・アウト、ならびにその側縁を有する１つの前壁（３７）を提示し、側縁が、後方に折りたたまれて、３つの側壁（３８）を形成し、側壁が、同じ方式で固定タブ（３９）の形状で内向きに折りたたまれ、一方、カバー（３６）と呼ばれる他方の可動部品が、同様の形状を有し、すなわち、カバー（３６）が、側縁および上部縁が内部に折りたたまれる（４１〜４２）前壁（４０）を含み、その上に、側壁（４１）の下方末端が、連接固定（４３）のために側面（３８）の上にはめ込まれ、依然としてこれらの同じ側壁（４１）が、カット・アウト（４４）を有し、カット・アウト（４４）が、開端部（４６）、およびわずかな圧力および簡単な傾斜移動のみによって前記カバーが依然として閉じているような手段（図１６）を提供する詳細（４７）を有する２つの爪状の柔軟タブ（４５）を形成し、かつその閉鎖限界として、壁によって形成されるタブ（４８）を有することを特徴とする、空気調和装置を取り付けるための内部フレームワークを有するキャビネットへの改良。
【発明の詳細な説明】
【技術分野】
【０００１】
より具体的には本発明は、異なる応用分野について、具体的には様々な電気パネルにおいて空気調和装置を装備する効率的手段を特徴とすることを考慮して特に開発された技術的および機能的な改良に関する。
【背景技術】
【０００２】
現在、上記の応用分野には異なるタイプの空気調和装置が存在するが、それにもかかわらず、それらのすべてが、モジュールではなく、かつかなりの数の部品で得られる内部区画を有し、それにより、様々な漏れ防止区画が、電気部品および機械部品について作成される可能性があり、前記区画は、コンデンサおよびそのそれぞれのファン、ならびにラジエータおよびそのそれぞれのファンの取付け支持体を作成するために、個々の異なる部品を、これらのセットが、一方が内部で他方が外部の独立した気流を有する２つのシステムを作成するように、依然として組み立て、その結果、通常の機器では、これらの２つのシステムは、異なる機械構成要素で作成され、多数の部品を必要とし、これにより、最終的な予防的および適切な保全が難しくなり、ならびに２つの気流システム間の封止に関して複雑な組立てと特別な注意を要することを特徴とし、その結果、産物の最終的なコストは法外に増大する。
【発明の開示】
【発明が解決しようとする課題】
【０００３】
本発明の第１の目的は、シート金属から完全に作成されたキャビネットを実現することであり、各部品は、同様にシート金属から設計された垂直シャーシで開始される簡単な上部マウントまたは側方マウントについて競合する詳細を有して特別に設計され、このシャーシは、内部気流について吸気および排気の２つの開口を有することに加えて（空気調和）、トレイであるかのような下方ベースで開始される他のシート金属部品を受けるための構造の詳細をも含み、コンプレッサを安定して支持するために第１アセンブリ・プラットフォームを作成し、その上にわたって、エンクロージャが、ラジエータおよびそのそれぞれのファンについてシート金属ボックスの形態で配置され、このボックスは、空気循環室を作成するように２つの開口にはめ込まれ、同時にこのボックスは、コンデンサの室および上部カバーを取り付けるための構造部品を作成し、それにより、ユニットの組立てが完了し、ユニットの閉鎖は、それぞれが外部気流の吸気および排気を特徴とする開口を有する側方カバーおよび上部カバーによって達成される。
【０００４】
したがって、本発明の目的は、実際にモジュールの機械的構造を画定するように互いに組み合わされた異なる折りたたみシート金属部品の組合せであり、これは一方では、構成要素の製造ならびにその組立ての両方に関して簡略化された計画に役立ち、他の利点は、特に、所望の点における封止の構造耐性および効率度に関して明らかになる。
【課題を解決するための手段】
【０００５】
重ね合わせ嵌合と異なるシート金属部品の組合せはまた、それぞれがユニットを取り付けるためのものであるコンパクトな区画の形成をも見込み、そのような区画は、電気および冷却構成要素について適切な絶縁度で取り付けるための効率的な空間を与え、追加の利点は、これらのユニットがすべて容易にアクセス可能であり、その結果、そのような最小限の構成は、組立てプロセスならびに最終的な予防および改良保全をスピード・アップするのに必要な手段を与えることである。
【０００６】
内部区画ならびに構造を作成するのに異なるシート金属構成要素を使用することは、コストの大きな削減を含めて、コンパクトでかなり軽量な空気調和装置を作成することと競合する。
【０００７】
詳細な記述をよりよく理解するために、添付の図面を参照する。
【発明を実施するための最良の形態】
【０００８】
これらの例示およびより具体的には図１から３の詳細によれば、本発明の空気調和装置を取り付けるための内部フレームワークを有するキャビネットへの改良、および通常の冷却ユニットであるコンプレッサ（２）、それぞれのファン（４）を有するラジエータ（３）、それぞれのファン（６）を有するコンデンサ（５）が、一方が内部（７Ａ）で他方が外部（７Ｂ）である２つの気流を作り出すことが可能であるような方式で、このユニットを収容するために、内部において（図３）異なる構成要素を形成するまたは組み立てることが可能であるような方式で、キャビネット（１）が、平行六面体（ｐａｒａｌｌｅｌｅｐｉｐｅｄｉｃ）で高さが実質的に細長く出現する方式、この目的のために、キャビネット（１）は、当初、吸気（８）のための上方開口および排気（９）のための下方開口の２つの後方開口を提示し、上方開口と下方開口の間に、ラジエータ（３）およびそのそれぞれのファン（４）が取り付けられ、それにより、反対側面または外部側面上に外部気流（７）に関して平行に位置する調和空気（６）の流れが作り出され、これはまた、キャビネットの前部（１）の上に位置する吸気のための開口（１０）と上部の開口（１１）の他の２つの開口をも達成し、２つの開口の間に、コンデンサ（５）およびそのそれぞれのファン（６）で作成されたユニットがある。
【０００９】
図４および５は、内部冷却構成要素およびそのそれぞれの電気部品をより詳細に示し、前記構成要素が異なる空気調和装置において共通であることがわかる。
【００１０】
図６、７、８、および９によれば、本発明の空気調和装置を取り付けるための内部フレームワークを有するキャビネットへの改良は、垂直シャーシ（１２）の上にはめ込まれるような方式で設定された１セットの折りたたみシート金属部品、ボックス・フォーマット（１４）のエンクロージャによって互いに間隔をおいて位置する２つの部品である後部、および前部カバー（１３）、ならびに前記垂直シャーシ（１２）を包含し、内部気流（７Ａ）の吸気（８）および排気（９）を構成する２つの開口を有する背面または後壁（１５）を有し、排気（８）はグリルを有し、一方、吸気（９）は下方に面する開口を有し、ならびに前記垂直シャーシ（１２）は、側壁（１６）によって画定された深度を有し、側壁の前縁は内部ならびに外部に向かって折りたたまれ（１７）、閉じるための嵌合を形成し（１４）、内部が他の同様の折りたたみシート金属部品である空間区画を形成し、他の同様の折りたたみシート金属部品は、部品（１４〜１３）を組み立てる前に、垂直シャーシ（１２）の内部に固定されるボックスの形態の他の部品（１９）が上に配置されることが可能であるような方式で、垂直シャーシ（１）の下方壁に固定された実際にはトレイの形状の正方形ベース（１８）で開始し、前記ボックス（１９）の開放後部側面が背面（１５）に接してはめ込まれ、開口が境界を画定され（８〜９）、ラジエータ（３）およびそのそれぞれのファン（４）を取り付けるための区画（Ｃ１）を形成し、同時に、前記ボックス（１９）の組立ては、２つの他の取付け可能性を創出し、第１は、コンプレッサ（２）およびボックスに内蔵の通常の電気部品（２０）を取り付けるための他の区画（Ｃ２）（図８）であり、一方第２は、ボックス（１９）の後部壁自体（２１）によって作成され、ボックス（１９）に接して、２つの垂直側壁（２３）および後部壁（２４）によって画定された「Ｕ」形の他のシート金属ハウジング（２２）が添付され、すべての側壁は、前記ハウジング（２２）が一方の側面上においてボックス（１９）の背面（２１）に添付されることが可能であり、かつ他方の側面上において空間開口（２７）を有するプレート（２６）の閉鎖を有するような方式で、内部に面する取付けタブ（２５）を有し、空間開口（２７）は、２つの区画（Ｃ３〜Ｃ４）を作成し、その１つは、ハウジング（２２）自体の前にあり、ファンが取り付けられるハウジング（６）、およびエンクロージャ（１４）によって作成された空気排気（１１）の上にわたって配置されるコンデンサが取り付けられる上方区画（５）を提供し、一方、リッド（１３）の上にある他の吸気開口（１０）は、プレート（２６）の閉鎖の開口（２７）と依然として位置合わせされ、それにより外部気流（７Ｂ）を作成する。
【００１１】
図１０に示されるように、ボックス形エンクロージャ（１４）は、すべてのその前縁および後縁が内部に垂直に折りたたまれ、それにより取付けタブ（２８）を作成し、後縁は、垂直シャーシ（１２）の嵌合（１７）について調節を提供し、一方、前縁および垂直シャーシは、まさに図１１および１２に示されるように、ロッキング・タブ（２９）を作成するような方式でプレスまたは切断された部品を有し、ロッキング・タブは２つ以上が各側面上にあり、そのすべてが、カバー（１３）の上に存在する他の内部に面する垂直タブ（３１）の上に存在する開口（３０）にはめ込まれるように待機フック位置において上方に折りたたまれ、カバー（１３）のエンクロージャ（１４）に対する近さは、カバー（１３）の上縁の上に留まるように外部に面して垂直に設定された１つの最終上部タブ（３３）を最後に含むエンクロージャ（１４）のタブ（２８）と呼ばれるものに外向きに面して垂直に設定され、かつその上に存在する他のタブ（３２）によって誘導され、最終的な添付は、ねじ（３４）によって達成される。図１２に示されるような方式で、前記カバー（１３）の配置は、迅速で簡単な方式で実施される。すなわち、タブ（３２）によって論理的に誘導されるわずかに上方にずれた位置において、ボックス（１４）の形状のエンクロージャに接して設定され、前記カバーが配置された後、下方に変位され、ロッキング・タブが開口（３０）を貫通する（２９）瞬間、結果として前記カバーはロックされ、エンクロージャ（１４）と位置について整列され、ねじ（３４）によってその固定は完了される。
【００１２】
図１３、１４、１５に関して、電気構成要素組立てボックス（２０）は、２つの折りたたみシート金属部品で作成される。一方は固定され（３５）、他方は傾斜しており（３６）、この最後に述べられたものはカバーの形状にあり、一方最初のものは、電気構成要素、主にサーモスタットおよびそのそれぞれのボタンの真の支持体を構成し、したがって、前記添付された部品は、前方に折りたたまれる横向きセクション「Ｃ」を提示する。すなわち、適切な穴およびカット・アウト、ならびにその側縁を有する１つの前壁（３７）を提示し、側縁は、後方に折りたたまれて、３つの側壁（３８）を形成し、側壁は、同じ方式で固定タブ（３９）の形状で内向きに折りたたまれる。一方、カバー（３６）と呼ばれる他方の可動部品は、同様の形状を有する。すなわち、カバー（３６）は、側縁および上部縁が内部に折りたたまれる（４１〜４２）前壁（４０）を含み、その上に、側壁（４１）の下方末端が、連接固定（４３）のために側面（３８）の上にはめ込まれ、依然としてこれらの同じ側壁（４１）は、カット・アウト（４４）を有し、カット・アウト（４４）は、開端部（４６）、およびわずかな圧力および簡単な傾斜移動のみによって前記カバーが依然として閉じているような手段（図１６）を提供する詳細（４７）を有する２つの爪状の柔軟タブ（４５）を形成し、かつその閉鎖限界として、壁（４２）によって形成されるタブ（４８）を有し、これにより、本体（３５）およびカバー（３６）は、実際に２つのハウジングを作成し、カバーは、サーモスタット・ボタンへの容易なアクセスを見込む。
【００１３】
述べられ、かつ示されたことからわかるように、当該の改良は、すべての前述された利点を設定するが、その理由は、すべての使用されたシート金属が、コンパクトで軽量な動作式の空気調和装置を理想化するように設計され、装備および組立てに関してだけでなく、最終的な予防および改良保全についてもより低いコストで効率を追加するからであり、この場合、アクセスは、デバイスの内部構成要素へのアクセスで非常に容易で迅速であり、これにより停止時間がかなり短縮されるからである。
【図面の簡単な説明】
【００１４】
【図１】フロント・カバーの外部の詳細ならびに外部気流の吸気および排気を示す上方前部からの図である。
【図２】内部気流の吸気および排気を作成する開口を強調する、透視であるが、上方後部角度からの他の図である。
【図３】部品が透明であり、電気キャビネットに装備された空気調和装置を単に例示し、内部気流および外部気流の両方を強調し、内部気流が、キャビネットと呼ばれるものの内部の環境制御について準備が整っている、透視の観点からの図である。
【図４】前記性質の通常の機器である異なる内部冷却構成要素を単に示す、実際には破断図としての前面正面図である。
【図５】内部冷却構成要素を単に示すための先行図と同様の側面からの図である。
【図６】冷却構成要素を有さず、折りたたみシート金属から得られる部品を強調する分解透視図である。
【図７】シート金属構成要素の他の詳細を示す、先行図と同様であるが、異なる角度からの図である。
【図８】折りたたみシート金属の内部構成要素を単に示すための部分分解図である。
【図９】折りたたみシート金属の内部構成要素を単に示すための部分分解図である。
【図１０】折りたたみシート金属の内部構成要素を単に示すための部分分解図である。
【図１１】ドア・ロックの構造の詳細を示す、拡大した詳細の透視図である。
【図１２】ドア・ロックの構造の詳細を示す、拡大した詳細の透視図である。
【図１３】電気構成要素、具体的にはサーモスタットの組立てボックスを強調する透視図である。
【図１４】電気構成要素、具体的にはサーモスタットの組立てボックスを強調する透視図である。
【図１５】電気構成要素、具体的にはサーモスタットの組立てボックスを強調する透視図である。
【図１６】電気構成要素、具体的にはサーモスタットの組立てボックスを強調する透視図である。
【図１】
2008516175.tif 000003
【図２】
2008516175.tif 000004
【図３】
2008516175.tif 000005
【図４】
2008516175.tif 000006
【図５】
2008516175.tif 000007
【図６】
2008516175.tif 000008
【図７】
2008516175.tif 000009
【図８】
2008516175.tif 000010
【図９】
2008516175.tif 000011
【図１０】
2008516175.tif 000012
【図１１】
2008516175.tif 000013
【図１２】
2008516175.tif 000014
【図１３】
2008516175.tif 000015
【図１４】
2008516175.tif 000016
【図１５】
2008516175.tif 000017
【図１６】
2008516175.tif 000018
【国際調査報告】
2008516175.tif 000019
2008516175.tif 000020